【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
パーソナルデバイスを用いてシステム装置にトークンを提供するためコンピュータで実行される方法であって、
前記システム装置からトークンを受信することであって、前記トークンはユーザ名及びパスワードを用いた前記システム装置への前のユーザログインに基づいて受信される、前記トークンを受信すること、
前記トークンを前記パーソナルデバイスに格納すること、
前記パーソナルデバイスにより、前記トークンの格納後に、前記システム装置との近距離無線通信（ＮＦＣ）リンクを確立することであって、前記システム装置との最初のハンドシェイクを実行すること、前記最初のハンドシェイクに応答して、デバイス・プロフィール情報を前記システムと交換すること、及び、交換された前記デバイス・プロフィール情報に基づいて前記システム装置を認証すること、を含む、前記ＮＦＣリンクを確立すること、
前記パーソナルデバイスにて、ユーザ名及びパスワードの前記システム装置上での手動入力を要求する指示を受信すること、
受信された前記要求する指示に応答して、ユーザによる手動入力の代わりに、前記パーソナルデバイスの記憶装置から前記トークンを取り出すこと、及び、
前記パーソナルデバイスにより、前記ＮＦＣリンクを介して、前記システム装置に前記トークンを送信することであって、前記トークンは前記ユーザを前記システム装置にログインさせるために使用される、前記トークンを送信すること、
を含む、方法。
【請求項２】
前記システム装置との前記ＮＦＣリンクを終了させることをさらに含む、請求項１に記載の方法。
【請求項３】
システム装置へのユーザログインのためにトークンを提供するパーソナルデバイスであって、
一つ以上の処理装置と、
命令が格納された機械可読媒体と、
を含み、
前記命令は、前記処理装置によって実行されたときに、
前記システム装置からトークンを受信することであって、前記トークンはユーザ名及びパスワードを用いた前記システム装置への前のユーザログインに基づいて受信される、前記トークンを受信すること、
前記トークンを前記パーソナルデバイスに格納すること、
前記パーソナルデバイスにより、前記トークンの格納後に、前記システム装置との近距離無線通信（ＮＦＣ）リンクを確立することであって、前記システム装置との最初のハンドシェイクを実行すること、前記最初のハンドシェイクに応答して、デバイス・プロフィール情報を前記システムと交換すること、及び、交換された前記デバイス・プロフィール情報に基づいて前記システム装置を認証すること、を含む、前記ＮＦＣリンクを確立すること、
前記パーソナルデバイスにて、ユーザ名及びパスワードの前記システム装置上での手動入力を要求する指示を受信すること
受信された前記要求する指示に応答して、ユーザによる手動入力の代わりに、前記パーソナルデバイスの記憶装置から前記トークンを取り出すこと、及び、
前記パーソナルデバイスにより、前記ＮＦＣリンクを介して、前記システム装置に前記トークンを送信することであって、前記トークンは前記ユーザを前記システム装置にログインさせるために使用される、前記トークンを送信すること、
を含む動作を前記処理装置に実行させる、パーソナルデバイス。
【請求項４】
前記動作は、前記システム装置との前記ＮＦＣリンクを終了させることをさらに含む、請求項３に記載のパーソナルデバイス。
【請求項５】
命令が格納された機械可読媒体であって、
前記命令は、パーソナルデバイスによって実行されたときに、
システム装置からトークンを受信することであって、前記トークンはユーザ名及びパスワードを用いた前記システム装置への前のユーザログインに基づいて受信される、前記トークンを受信すること、
前記トークンを前記パーソナルデバイスに格納すること、
前記パーソナルデバイスにより、前記トークンの格納後に前記システム装置との近距離無線通信（ＮＦＣ）リンクを確立することであって、前記システム装置との最初のハンドシェイクを実行すること、前記最初のハンドシェイクに応答して、デバイス・プロフィール情報を前記システム装置と交換すること、及び、交換された前記デバイス・プロフィール情報に基づいて前記システム装置を認証すること、を含む、前記ＮＦＣリンクを確立すること、
前記パーソナルデバイスにて、ユーザ名及びパスワードの前記システム装置上での手動入力を要求する指示を受信すること、
受信された前記要求する指示に応答して、ユーザによる手動入力の代わりに、前記パーソナルデバイスの記憶装置から前記トークンを取り出すこと、及び、
前記パーソナルデバイスにより、前記ＮＦＣリンクを介して、前記システム装置に前記トークンを送信することであって、前記トークンは前記ユーザを前記システム装置にログインさせるために使用される、前記トークンを送信すること、
を含む動作を前記パーソナルデバイスに実行させる、機械可読媒体。
【請求項６】
前記動作は、前記システム装置との前記ＮＦＣリンクを終了させることをさらに含む、請求項５に記載の機械可読媒体。
【請求項７】
システム装置上でユーザを認証するためコンピュータで実行される方法であって、
ユーザのユーザ名及びパスワードを要求すること、
前記ユーザの前記ユーザ名及びパスワードを受信すること、
前記ユーザ名及びパスワードの受信に応答してトークンを生成すること、
パーソナルデバイス上に格納するために前記トークンを前記パーソナルデバイスに送信すること、
前記システム装置により、前記トークンの送信後に、前記パーソナルデバイスとの近距離無線通信（ＮＦＣ）リンクを確立することであって、前記パーソナルデバイスとの最初のハンドシェイクを実行すること、前記最初のハンドシェイクに応答して、デバイス・プロフィール情報を前記パーソナルデバイスと交換すること、及び、交換された前記デバイス・プロフィール情報に基づいて前記パーソナルデバイスを認証することを含む、前記ＮＦＣリンクを確立すること、
前記システム装置により、ユーザ名及びパスワードの手動入力を要求する指示を前記パーソナルデバイスに送信すること、
前記システム装置により、ユーザによる手動入力の代わりに、前記ＮＦＣリンクを介して、前記パーソナルデバイスから格納されたトークンを受信すること、及び、
前記ＮＦＣリンクを介して受信された、前記格納されたトークンを用いて前記システム装置へのユーザログインを実行すること、
を含む、方法。
【請求項８】
前記パーソナルデバイスとの前記ＮＦＣリンクを終了させることをさらに含む、請求項７に記載の方法。
【請求項９】
ユーザを認証するためのシステム装置であって、
一つ以上の処理装置と、
命令が格納された機械可読媒体と、
を含み、
前記命令は、前記処理装置によって実行されたときに、
ユーザのユーザ名及びパスワードを要求すること、
前記ユーザの前記ユーザ名及びパスワードを受信すること、
前記ユーザ名及びパスワードに受信に応答してトークンを生成すること、
パーソナルデバイス上に格納するために前記パーソナルデバイスに前記トークンを送信すること、
システム装置により、前記トークンの送信後に、前記パーソナルデバイスとの近距離無線通信（ＮＦＣ）リンクを確立することであって、前記パーソナルデバイスとの最初のハンドシェイクを実行すること、前記最初のハンドシェイクに応答して、デバイス・プロフィール情報を前記パーソナルデバイスと交換すること、及び、交換された前記デバイス・プロフィール情報に基づいて前記パーソナルデバイスを認証することを含む、前ＮＦＣリンクを確立すること、
前記システム装置により、ユーザ名及びパスワードの手動入力を要求する指示を前記パーソナルデバイスに送信すること、
前記システム装置により、ユーザによる手動入力の代わりに、前記ＮＦＣリンクを介して、前記パーソナルデバイスから格納されたトークンを受信すること、及び、
前記ＮＦＣリンクを介して受信された、前記格納されたトークンを用いて前記システム装置へのユーザログインを実行すること、
を含む動作を前記処理装置に実行させる、システム装置。
【請求項１０】
前記動作は、前記パーソナルデバイスとの前記ＮＦＣリンクを終了させることをさらに含む、請求項９に記載のシステム装置。
【請求項１１】
命令が格納された機械可読媒体であって、
前記命令は、システム装置によって実行されたときに、
ユーザのユーザ名及びパスワードを要求すること、
前記ユーザの前記ユーザ名及びパスワードを受信すること、
前記ユーザ名及びパスワードの受信に応答してトークンを生成すること、
パーソナルデバイス上に格納するために前記パーソナルデバイスに前記トークンを送信すること、
前記システム装置により、前記トークンの送信後に、前記パーソナルデバイスとの近距離無線通信（ＮＦＣ）リンクを確立することであって、前記パーソナルデバイスとの最初のハンドシェイクを実行すること、前記最初のハンドシェイクに応答して、デバイス・プロフィール情報を前記パーソナルデバイスと交換すること、及び、交換された前記デバイス・プロフィール情報に基づいて前記パーソナルデバイスを認証することを含む、前記ＮＦＣリンクを確立すること、
前記システム装置により、ユーザ名及びパスワードの手動入力を要求する指示を前記パーソナルデバイスに送信すること、
前記システム装置により、ユーザによる手動入力の代わりに、前記ＮＦＣリンクを介して、前記パーソナルデバイスから格納されたトークンを受信すること、及び、
前記ＮＦＣリンクを介して受信された、前記格納されたトークンを用いて前記システム装置へのユーザログインを実行すること、
を含む動作を前記システム装置に実行させる、機械可読媒体。
【請求項１２】
前記動作は、前記パーソナルデバイスとの前記ＮＦＣリンクを終了させることをさらに含む、請求項１１に記載の機械可読媒体。
【請求項１３】
パーソナルデバイスを用いてシステム装置にユーザ名及びパスワードを提供するためコンピュータで実行される方法であって、
前記パーソナルデバイスの近距離無線通信（ＮＦＣ）インターフェースにて、前記システム装置からメッセージを受信すること、
前記メッセージの受信に応答して、前記パーソナルデバイスの前記ＮＦＣインターフェースを起動すること、
前記ＮＦＣインターフェースの起動に応答して、前記パーソナルデバイスの前記ＮＦＣインターフェースを介して前記システム装置とのＮＦＣリンクを確立することであって、前記システム装置との最初のハンドシェイクを実行すること、前記最初のハンドシェイクの後にデバイス・プロフィール情報を前記システム装置と交換すること、及び、交換された前記デバイス・プロフィール情報に基づいて前記システム装置を認証することを含む、前記ＮＦＣリンクを確立すること、
前記パーソナルデバイスにて、ユーザ名及びパスワードの前記システム装置上での手動入力を要求する指示を受信すること、
受信された前記要求する指示に応答して、ユーザによる手動入力の代わりに、前記パーソナルデバイスの記憶装置から前記ユーザ名及びパスワードを取り出すこと、
前記ユーザ名及びパスワードを暗号化すること、及び、
前記パーソナルデバイスにより、前記ＮＦＣリンクを介して、暗号化された前記ユーザ名及びパスワードを送信することであって、前記ユーザ名及びパスワードは前記ユーザを前記システム装置にログインさせるために使用される、前記暗号化された前記ユーザ名及びパスワードを送信すること、
を含む、方法。
【請求項１４】
前記システム装置との前記ＮＦＣリンクを終了させることをさらに含む、請求項１３に記載の方法。
【請求項１５】
前記ユーザ名及びパスワードは、前記システム装置に接続されたネットワーク、前記システム装置上のウェブ・ページ・セッション、及び、前記システム装置上のクレジットカード取引のうちの少なくとも１つについて前記ユーザを前記システム装置にログインさせるために前記システム装置によって使用されるように構成されている、請求項１３に記載の方法。
【請求項１６】
前記ユーザ名及びパスワードは、図書館システムに前記ユーザをログインさせるために前記システム装置によって使用されるように構成され、前記図書館システムは、当該図書館システムによる識別のためのＲＦＩＤタグが組み込まれた本と連携されており、各ＲＦＩＤタグは、前記パーソナルデバイスに各本に関する識別情報を通信するように構成されている、請求項１３に記載の方法。
【請求項１７】
システム装置へのユーザログインのためにユーザ名及びパスワードを提供するパーソナルデバイスであって、
一つ以上のプロセッサと、
命令が格納された機械可読媒体と、
を含み、
前記命令は、前記プロセッサによって実行されたときに、
前記パーソナルデバイスの近距離無線通信（ＮＦＣ）インターフェースにて、前記システム装置からメッセージを受信すること、
前記メッセージの受信に応答して、前記パーソナルデバイスの前記ＮＦＣインターフェースを起動すること、
前記ＮＦＣインターフェースの起動に応答して、前記パーソナルデバイスの前記ＮＦＣインターフェースを介して前記システム装置とのＮＦＣリンクを確立することであって、前記システム装置との最初のハンドシェイクを実行すること、前記最初のハンドシェイク後にデバイス・プロフィール情報を前記システム装置と交換すること、及び、交換された前記デバイス・プロフィール情報に基づいて前記システム装置を認証することを含む、前記ＮＦＣリンクを確立すること、
前記パーソナルデバイスにて、ユーザ名及びパスワードの前記システム装置上での手動入力を要求する指示を受信すること、
受信された前記要求する指示に応答して、ユーザによる手動入力の代わりに、前記パーソナルデバイスの記憶装置から前記ユーザ名及びパスワードを取り出すこと、
前記ユーザ名及びパスワードを暗号化すること、及び、
前記パーソナルデバイスにより、前記ＮＦＣリンクを介して、前記システム装置に暗号化された前記ユーザ名及びパスワードを送信することであって、前記ユーザ名及びパスワードは前記ユーザを前記システム装置にログインさせるために使用される、前記暗号化された前記ユーザ名及びパスワードを送信すること、
を含む動作を前記プロセッサに実行させる、パーソナルデバイス。
【請求項１８】
前記ユーザ名及びパスワードは、前記システム装置に接続されたネットワーク、前記システム装置上のウェブ・ページ・セッション、及び、前記システム装置上のクレジットカード取引のうちの少なくとも１つについて前記ユーザを前記システム装置にログインさせるために前記システム装置によって使用されるように構成されている、請求項１７に記載のパーソナルデバイス。
【請求項１９】
前記ユーザ名及びパスワードは、図書館システムに前記ユーザをログインさせるために前記システム装置によって使用されるように構成され、前記図書館システムは、当該図書館システムによる識別のためのＲＦＩＤタグが組み込まれた本と連携されており、各ＲＦＩＤタグは、前記パーソナルデバイスに各本に関する識別情報を通信するように構成されている、請求項１７に記載のパーソナルデバイス。
【請求項２０】
命令が格納された機械可読媒体であって、
前記命令は、パーソナルデバイスによって実行されたときに、
前記パーソナルデバイスの近距離無線通信（ＮＦＣ）インターフェースにて、システム装置からメッセージを受信すること、
前記メッセージの受信に応答して、前記パーソナルデバイスの前記ＮＦＣインターフェースを起動すること、
前記ＮＦＣインターフェースの起動に応答して、前記パーソナルデバイスの前記ＮＦＣインターフェースを介して前記システム装置とのＮＦＣリンクを確立することであって、前記システム装置との最初のハンドシェイクを実行すること、前記最初のハンドシェイク後にデバイス・プロフィール情報を前記システム装置と交換すること、及び、交換された前記デバイス・プロフィール情報に基づいて前記システム装置を認証することを含む、前記ＮＦＣリンクを確立すること、
前記パーソナルデバイスにて、ユーザ名及びパスワードの前記システム装置上での手動入力を要求する指示を受信すること、
受信された前記要求する指示に応答して、ユーザによる手動入力の代わりに、前記パーソナルデバイスの記憶装置から前記ユーザ名及びパスワードを取り出すこと、
前記ユーザ名及びパスワードを暗号化すること、及び、
前記パーソナルデバイスにより、前記ＮＦＣリンクを介して、前記システム装置に暗号化された前記ユーザ名及びパスワードを送信することであって、前記ユーザ名及びパスワードが前記ユーザを前記システム装置にログインさせるために使用される、前記暗号化された前記ユーザ名及びパスワードを送信すること、
を含む動作を前記パーソナルデバイスに実行させる、機械可読媒体。
【請求項２１】
前記ユーザ名及びパスワードは、前記システム装置に接続されたネットワーク、前記システム装置上のウェブ・ページ・セッション、及び、前記システム装置上のクレジットカード取引のうちの少なくとも１つについて前記ユーザを前記システム装置にログインさせるために前記システム装置によって使用されるように構成されている、請求項２０に記載の機械可読媒体。
【請求項２２】
前記ユーザ名及びパスワードは、図書館システムに前記ユーザをログインさせるために前記システム装置によって使用されるように構成され、前記図書館システムは、当該図書館システムによる識別のためのＲＦＩＤタグが組み込まれた本と連携されており、各ＲＦＩＤタグは、前記パーソナルデバイスに各本に関する識別情報を通信するように構成されている、請求項２０に記載の機械可読媒体。
【請求項２３】
システム装置へのユーザログインを実行するためコンピュータで実行される方法であって、
パーソナルデバイスにメッセージを送信して前記パーソナルデバイスの近距離無線通信（ＮＦＣ）インターフェースを起動すること、
前記パーソナルデバイスの前記ＮＦＣインターフェースの起動に応答して、前記パーソナルデバイスの前記ＮＦＣインターフェースを介して前記パーソナルデバイスとのＮＦＣリンクを確立することであって、前記パーソナルデバイスとの最初のハンドシェイクを実行すること、前記最初のハンドシェイク後にデバイス・プロフィール情報を前記パーソナルデバイスと交換すること、及び、交換された前記デバイス・プロフィール情報に基づいて前記パーソナルデバイスを認証することを含む、前記ＮＦＣリンクを確立すること、
前記システム装置により、ユーザ名及びパスワードの手動入力を要求する指示を前記パーソナルデバイスに送信すること、
前記システム装置により、ユーザによる手動入力の代わりに、前記ＮＦＣリンクを介して、前記パーソナルデバイスから格納されたユーザ名及びパスワードを受信することであって、受信されたユーザ名及びパスワードが暗号化されている、前記格納されたユーザ名及びパスワードを受信すること、及び、
前記ＮＦＣリンクを介して受信された、前記格納されたユーザ名及びパスワードを用いて前記システム装置へのユーザログインを実行すること、
を含む、方法。
【請求項２４】
前記パーソナルデバイスとの前記ＮＦＣリンクを終了させることをさらに含む、請求項２３に記載の方法。
【請求項２５】
前記ユーザログインを実行することは、前記システム装置に接続されたネットワーク、前記システム装置上のウェブ・ページ・セッション、及び、前記システム装置上のクレジットカード取引のうちの少なくとも１つのために前記システム装置へのユーザログインを実行するものである、請求項２３に記載の方法。
【請求項２６】
前記ユーザログインを実行することは、図書館システムへのユーザログインを実行するものであり、前記図書館システムは、当該図書館システムによる識別のためのＲＦＩＤタグが組み込まれた本と連携されており、各ＲＦＩＤタグは、前記パーソナルデバイスに各本に関する識別情報を通信するように構成されている、請求項２３に記載の方法。
【請求項２７】
システム装置へのユーザログインを実行するためコンピュータによって実行される方法であって、
前記システム装置により、ユーザ名及びパスワードのユーザによる手動入力を要求するログインインターフェースを提供すること、
前記インターフェースの提供に応答して、パーソナルデバイスとの近距離無線通信リンク（ＮＦＣリンク）を確立することであって、前記パーソナルデバイスとの最初のハンドシェイクを実行すること、前記最初のハンドシェイクに応答して、デバイス・プロフィール情報を前記パーソナルデバイスと交換すること、及び、交換された前記デバイス・プロフィール情報に基づいて前記パーソナルデバイスを認証すること、を含む、前記ＮＦＣリンクを確立すること、
前記システム装置により、前記ユーザによる手動入力の代わりに、前記ＮＦＣリンクを介して、前記パーソナルデバイスから格納された且つ暗号化されたユーザ名及びパスワードを受信することであって、前記格納されたユーザ名及びパスワードは、前記ユーザ名及びパスワードを用いた前記システム装置への前記ユーザの前のユーザログインに基づいている、前記格納された且つ暗号化されたユーザ名及びパスワードを受信すること、及び、
前記システム装置により、前記ＮＦＣリンクを介して受信された、前記格納されたユーザ名及びパスワードを用いて前記システム装置へのユーザログインを実行すること、
を含む、方法。
【請求項２８】
前記パーソナルデバイスとの前記ＮＦＣリンクを終了させることをさらに含む、請求項２７に記載の方法。
【請求項２９】
前記ログインインターフェースは、前記システム装置によってアクセスされたネットワーク、ウェブページ及びクレジットカードシステムのうちの少なくも１つに前記ユーザをログインさせるためのものである、請求項２７に記載の方法。
【請求項３０】
前記ログインインターフェースは、前記システムによってアクセスされた図書館システムに前記ユーザをログインさせるためのものであり、前記図書館システムは、当該図書館システムによる識別のためのＲＦＩＤタグが組み込まれた本と連携されており、各ＲＦＩＤタグは、前記パーソナルデバイスに各本に関する識別情報を通信するように構成されている、請求項２７に記載の方法。
【請求項３１】
前記パーソナルデバイスにメッセージを送信して前記パーソナルデバイスのＮＦＣインターフェースを起動することをさらに含み、
前記ＮＦＣリンクを確立することは、前記パーソナルデバイスの前記ＮＦＣインターフェースの起動に応答して、前記パーソナルデバイスの前記ＮＦＣインターフェースを介して前記システム装置との前記ＮＦＣリンクを確立することを含む、請求項２７に記載の方法。
【請求項３２】
前記格納されたユーザ名及びパスワードは、前記パーソナルデバイスに格納されたトークンに相当する、請求項２７に記載の方法。
【請求項３３】
ユーザログインを実行するシステム装置であって、
一つ以上のプロセッサと、
命令が格納された機械可読媒体と、
を含み、
前記命令は、前記プロセッサによって実行されたときに、
ユーザ名及びパスワードのユーザによる手動入力を要求するログインインターフェースを提供すること、
前記インターフェースの提供に応答して、パーソナルデバイスとの近距離無線通信（ＮＦＣ）リンクを確立することであって、前記パーソナルデバイスとの最初のハンドシェイクを実行すること、前記最初のハンドシェイクに応答して、デバイス・プロフィール情報を前記パーソナルデバイスと交換すること、及び、交換された前記デバイス・プロフィール情報に基づいて前記パーソナルデバイスを認証すること、を含む、前記ＮＦＣリンクを確立すること、
前記ユーザによる手動入力の代わりに、前記ＮＦＣリンクを介して、前記パーソナルデバイスから格納された且つ暗号化されたユーザ名及びパスワードを受信することであって、前記格納されたユーザ名及びパスワードは前記ユーザ名及びパスワードを用いた前記システム装置への前記ユーザの前のユーザログインに基づいている、前記格納された且つ暗号化されたユーザ名及びパスワードを受信すること、
前記ＮＦＣリンクを介して受信された、前記格納されたユーザ名及びパスワードを用いてユーザログインを実行すること、及び、
前記パーソナルデバイスとの前記ＮＦＣリンクを終了させること、
を含む動作を前記プロセッサに実行させる、システム装置。
【請求項３４】
前記ログインインターフェースは、前記システム装置によってアクセスされたネットワーク、ウェブページ及びクレジットカードシステムのうちの少なくも１つに前記ユーザをログインさせるためのものである、請求項３３に記載のシステム装置。
【請求項３５】
前記ログインインターフェースは、前記システムによってアクセスされた図書館システムに前記ユーザをログインさせるためのものであり、前記図書館システムは、当該図書館システムによる識別のためのＲＦＩＤタグが組み込まれた本と連携されており、各ＲＦＩＤタグは、前記パーソナルデバイスに各本に関する識別情報を通信するように構成されている、請求項３３に記載のシステム装置。
【請求項３６】
前記パーソナルデバイスにメッセージを送信して前記パーソナルデバイスのＮＦＣインターフェースを起動することをさらに含み、
前記ＮＦＣリンクを確立することは、前記パーソナルデバイスの前記ＮＦＣインターフェースの起動に応答して、前記パーソナルデバイスの前記ＮＦＣインターフェースを介して前記システム装置との前記ＮＦＣリンクを確立することを含む、請求項３３に記載のシステム装置。
【請求項３７】
前記格納されたユーザ名及びパスワードは、前記パーソナルデバイス上に格納されたトークンに相当する、請求項３３に記載のシステム装置。
【請求項３８】
命令が格納された機械可読媒体であって、
前記命令は、システム装置によって実行されたときに、
ユーザ名及びパスワードのユーザによる手動入力を要求するログインインターフェースを提供すること、
前記インターフェースの提供に応答して、パーソナルデバイスとの近距離無線通信（ＮＦＣ）リンクを確立することであって、前記パーソナルデバイスとの最初のハンドシェイクを実行すること、前記最初のハンドシェイクに応答して、デバイス・プロフィール情報を前記パーソナルデバイスと交換すること、及び、交換された前記デバイス・プロフィール情報に基づいて前記パーソナルデバイスを認証すること、を含む、前記ＮＦＣリンクを確立すること、
前記ユーザによる手動入力の代わりに、前記ＮＦＣリンクを介して、前記パーソナルデバイスから格納された且つ暗号化されたユーザ名及びパスワードを受信することであって、前記格納されたユーザ名及びパスワードは、前記ユーザ名及びパスワードを用いた前記システム装置への前記ユーザの前のユーザログインに基づいている、前記格納された且つ暗号化されたユーザ名及びパスワードを受信すること、及び、
前記ＮＦＣリンクを介して受信された、前記格納されたユーザ名及びパスワードを用いてユーザログインを実行することであって、受信された前記格納されたユーザ名及びパスワードが暗号化されている、前記ユーザログインを実行すること、
を含む動作を前記システム装置に実行させる、機械可読媒体。
【請求項３９】
前記動作は、前記パーソナルデバイスとの前記ＮＦＣリンクを終了させることをさらに含む、請求項３８に記載の機械可読媒体。
【請求項４０】
前記ログインインターフェースは、前記システム装置によってアクセスされたネットワーク、ウェブページ及びクレジットカードシステムのうちの少なくも１つに前記ユーザをログインさせるためのものである、請求項３８に記載の機械可読媒体。
【請求項４１】
前記ログインインターフェースは、前記システムによってアクセスされた図書館システムに前記ユーザをログインさせるためのものであり、前記図書館システムは、当該図書館システムによる識別のためのＲＦＩＤタグが組み込まれた本と連携されており、各ＲＦＩＤタグは、前記パーソナルデバイスに各本に関する識別情報を通信するように構成されている、請求項３８に記載の機械可読媒体。